(57)【特許請求の範囲】
【請求項１】
広告概要を提示する概要広告情報及び前記広告概要よりも詳細な広告内容であってユーザの操作によって選択される選択可能情報を含む詳細広告情報を配信する広告配信装置と、
車両に搭載され、前記広告配信装置により配信された概要広告情報及び詳細広告情報をユーザに提示する通信端末とを備える広告配信処理システムであって、
前記通信端末は、
車両の位置を検出する車両位置検出部と、
車両が第１のエリア内に存在する時に前記概要広告情報を提示し、車両が前記第１のエリアよりも小さい第２のエリア内に存在する時に前記詳細広告情報を提示する表示部と、
前記詳細広告情報に含まれる選択可能情報を選択する操作を検出して操作入力情報を生成する操作検出部と、
前記車両位置検出部によって検出された位置情報に基づいて車両が停止した状態で前記詳細広告情報に含まれる選択可能情報を選択した操作を前記操作検出部によって検出した場合に車両が停止したことを示す停止信号と操作入力情報とを前記広告配信装置に送信する送信部と、を備え、
前記広告配信装置は、
前記概要広告情報と前記詳細広告情報とを予め記憶する広告情報蓄積部と、
前記通信端末の位置情報を取得する位置情報取得部と、
前記通信端末の位置情報に基づいて前記通信端末に前記概要広告情報及び前記詳細広告情報を配信する送信情報処理部と、
前記通信端末から、前記停止信号と操作入力情報とを受信した場合に、当該詳細広告情報に高い広告効果があったと判断する広告効果判定部と
を備えることを特徴とする広告配信処理システム。
【請求項２】
広告概要を提示する概要広告情報及び前記広告概要よりも詳細な広告内容であってユーザの操作によって選択される選択可能情報を含む詳細広告情報を配信する広告配信装置と、
車両に搭載され、前記広告配信装置により配信された概要広告情報及び詳細広告情報をユーザに提示する通信端末とを備える広告配信処理システムであって、
前記通信端末は、
車両の位置を検出する車両位置検出部と、
車両が第１のエリア内に存在する時に前記概要広告情報を提示し、車両が前記第１のエリアよりも小さい第２のエリア内に存在する時に前記詳細広告情報を提示する表示部と、
前記詳細広告情報に含まれる選択可能情報を選択する操作を検出して操作入力情報を生成する操作検出部と、
前記車両位置検出部によって検出された位置情報に基づいて車両が停止した状態で前記詳細広告情報に含まれる選択可能情報を選択した操作を前記操作検出部によって検出した場合に車両が停止したことを示す停止信号と操作入力情報とを前記広告配信装置に送信する送信部と、を備え、
前記広告配信装置は、
前記概要広告情報と前記詳細広告情報とを予め記憶する広告情報蓄積部と、
前記通信端末の送信部から送信された位置情報に基づいて前記通信端末に前記概要広告情報及び前記詳細広告情報を配信する送信情報処理部と、
前記通信端末から、前記停止信号と操作入力情報とを受信した場合に、当該詳細広告情報に高い広告効果があったと判断する広告効果判定部と、を備え、
上記広告配信装置と接続され、上記通信端末を利用するユーザについて発生した支払いを決済する決済サーバを更に備え、
上記広告配信装置は、上記通信端末に付与されたユーザＩＤを特定するユーザＩＤ特定部と、ユーザ情報蓄積部に蓄積されたユーザが決済をするのに使用する決済サーバに関する情報と、前記特定した上記ユーザＩＤとを比較して利用者が使用する決済サーバを認識し、広告主が提供する決済サーバを選択する選択可能情報を上記通信端末に送信し、何れかの決済サーバを選択する操作入力情報を受信することを特徴とする広告配信処理システム。
【請求項３】
上記広告配信装置は、広告配信を依頼した広告主を特定する広告主情報、ユーザを特定するユーザＩＤ情報、広告に関する支払いについて特典を与える特典情報を上記決済サーバに送信し、
上記決済サーバは、広告主情報及びユーザＩＤ情報を用いてユーザについて発生した支払いの決済処理をすると共に、特典情報に基づいてユーザに特典を提供することを特徴とする請求項２に記載の広告配信処理システム。
【請求項４】
上記広告配信装置は、ユーザが保有する携帯型情報端末に、
上記特典情報を送信することを特徴とする請求項２又は請求項３に記載の広告配信処理システム。
【請求項５】
車両に搭載された通信端末によってユーザに広告情報を提示する広告配信処理装置であって、
車両が第１のエリアに存在する時に広告概要を提示する概要広告情報及び前記第１のエリアよりも小さい第２のエリアに車両が存在する時に前記広告概要よりも詳細な広告内容であってユーザの操作によって選択される選択可能情報を含む詳細広告情報の配信先である車両に搭載された通信端末との間で通信をする送受信部と、
前記概要広告情報及び前記詳細広告情報を記憶する広告情報蓄積部と、
前記通信端末の位置情報を取得する位置情報取得部と、
前記位置情報取得部により取得した位置情報に基づいて前記通信端末に前記概要広告情報及び前記詳細広告情報を前記送受信部によって配信させる送信情報処理部と、
前記送受信部により、前記通信端末から、車両が停止した状態で前記詳細広告情報に含まれる選択可能情報を選択した操作入力情報と、車両が停止したことを示す停止信号とが送信された場合に、当該詳細広告情報に高い広告効果があったと判断する広告効果判定部と
を備えることを特徴とする広告配信処理装置。
【請求項６】
上記広告情報蓄積部は、上記概要広告情報を配信する配信エリアを特定する前記第１のエリアである概要配信エリア情報と、上記詳細広告を配信する前記第２のエリアである配信エリアを特定する詳細配信エリア情報とを記憶し、
上記送信情報処理部は、通信端末位置が概要配信エリア内であると判定した場合に概要広告情報を上記広告情報蓄積部から読み出して上記通信端末に配信し、通信端末位置が詳細配信エリア内であると判定した場合に詳細広告情報を上記広告情報蓄積部から読み出して上記通信端末に配信させることを特徴とする請求項５に記載の広告配信処理装置。
【請求項７】
上記広告情報蓄積部は、上記概要広告情報及び詳細広告情報を配信する配信エリアを特定する上記第１のエリアである配信エリア情報と、上記詳細広告情報を提示する上記第２のエリアである提示エリアを特定する提示エリア情報とを記憶し、
上記送信情報処理部は、通信端末位置が配信エリア内であると判定した場合に、上記概要広告情報、詳細広告情報及び提示エリア情報を上記広告情報蓄積部から読み出して上記通信端末に配信し、上記提示エリアにて詳細広告情報を提示させることを特徴とする請求項５に記載の広告配信処理装置。
【請求項８】
上記通信端末に設定された車両の推奨経路情報を取得する経路取得手段を更に備え、
上記送信情報処理部は、上記経路取得手段で取得した推奨経路上の位置が前記第１のエリア又は前記第２のエリアに含まれる場合に前記概要広告情報又は前記詳細広告情報を配信することを特徴とする請求項５に記載の広告配信処理装置。
【請求項９】
車両に搭載された通信端末によってユーザに広告情報を提示する広告配信装置の広告配信処理方法であって、
前記広告配信装置が、前記通信端末の位置情報を取得するステップと、
車両が第１のエリアに存在する時に広告概要を提示する概要広告情報及び前記第１のエリアよりも小さい第２のエリアに車両が存在する時に前記広告概要よりも詳細な広告内容であってユーザの操作によって選択される選択可能情報を含む詳細広告情報を予め記憶した前記広告配信装置が、前記取得した位置情報に基づいて前記通信端末に前記概要広告情報及び前記詳細広告情報を配信するステップと、
前記広告配信装置が、前記通信端末から、車両が停止した状態で前記詳細広告情報に含まれる選択可能情報を選択した操作入力情報と、車両が停止したことを示す停止信号とが送信された場合に、当該詳細広告情報に高い広告効果があったと判断するステップと
を有することを特徴とする広告配信処理方法。
【請求項１０】
前記広告配信装置が、上記概要広告情報を配信する配信エリアを特定する前記第１のエリアである概要配信エリア情報と、上記詳細広告情報を配信する前記第２のエリアである配信エリアを特定する詳細配信エリア情報とが記憶され、
前記通信端末に前記概要広告情報及び前記詳細広告情報を配信するステップは、上記広告配信装置が、通信端末位置が概要配信エリア内であると判定した場合に概要広告情報を上記通信端末に配信し、通信端末位置が詳細配信エリア内であると判定した場合に詳細広告情報を上記通信端末に配信することを特徴とする請求項９に記載の広告配信処理方法。
【請求項１１】
前記広告配信装置が、上記概要広告情報を配信する配信エリアを特定する前記第１のエリアである概要配信エリア情報と、上記詳細広告情報を配信する前記第２のエリアである配信エリアを特定する詳細配信エリア情報とが記憶され、
前記通信端末に前記概要広告情報及び前記詳細広告情報を配信するステップは、上記広告配信装置が、通信端末位置が配信エリア内であると判定した場合に、概要広告情報、詳細広告情報及び提示エリア情報を上記通信端末に配信し、上記提示エリアにて詳細広告情報を提示させることを特徴とする請求項９に記載の広告配信処理方法。
【請求項１２】
上記広告配信装置が、上記通信端末に設定された車両の推奨経路情報を取得するステップを有し、
上記通信端末に上記概要広告情報及び上記詳細広告情報を配信するステップは、取得した推奨経路上の位置が上記第１のエリア又は上記第２のエリアに含まれる場合に、上記広告配信装置が、上記概要広告情報又は上記詳細広告情報を配信することを特徴とする請求項９に記載の広告配信処理方法。
【請求項１３】
車両に搭載された通信端末であって、
広告概要を提示する概要広告情報及び前記広告概要よりも詳細な広告内容であってユーザの操作によって選択される選択可能情報を含む詳細広告情報を配信する広告配信装置との間で通信をする送受信部と、
車両の位置を検出する車両位置検出部と、
車両が第１のエリア内に存在する時に前記概要広告情報を提示し、車両が前記第１のエリアよりも小さい第２のエリア内に存在する時に前記詳細広告情報を提示する表示部と、
上記詳細広告情報に含まれる選択可能情報を選択する操作を検出して操作入力情報を生成する操作検出部と、
前記車両位置検出部によって検出された位置情報を前記広告配信装置に送信させると共に、前記車両位置検出部によって検出された位置情報に基づいて車両が停止した状態で前記詳細広告情報に含まれる選択可能情報を選択した操作を前記操作検出部によって検出した場合に車両が停止したことを示す停止信号と操作入力情報とを前記広告配信装置に送信させる制御部と、
を備えることを特徴とする通信端末。
【請求項１４】
前記概要広告情報及び前記詳細広告情報と、前記詳細広告情報を提示する提示エリアを特定する前記第２のエリアである提示エリア情報とを上記送受信部により同時に受信した場合、
上記制御部は、前記概要広告情報を提示するように上記表示部を制御し、車両の位置が提示エリア内となった場合に、前記詳細広告情報を提示するように上記表示部を制御することを特徴とする請求項１３に記載の通信端末。
【請求項１５】
上記制御部は、車両の停止動作又は停止動作に類する動作が発生したときに、上記詳細広告情報を表示するように上記表示部を制御することを特徴とする請求項１３に記載の通信端末。
【発明の詳細な説明】
【０００１】
【発明の属する技術分野】
本発明は、広告情報を配信し、配信した広告情報に対する広告効果を判断するための広告配信処理システム、広告配信処理装置及び方法、通信端末及び広告提示方法に関する。
【０００２】
【従来の技術】
従来より、広告配信システムにおいて、移動体端末の存在する位置情報を元に電子的な広告を配信し、利用者が実際に広告した店舗などに訪問したか否かを判断することにより広告効果を確認する技術が特開２００１−１３４６５０号公報に開示されて知られている。
【０００３】
このような広告配信システムでは、移動体端末の存在する位置情報及び時刻情報から、配信した広告効果を算出するものである。すなわち、この広告配信システムでは、配信した広告内容に対応する位置にどれだけの時間滞在したかを判断して広告効果を算出している。例えばレストラン広告を配信した場合、予めレストランの駐車場などの指定した地理的なエリアを位置情報として保持しておき、移動体端末の位置と、予め保持しておいたレストランに位置情報とが近接又は合致しており、且つ、例えば３０分以上の一定時間滞在した場合に、訪問したとみなして広告効果を算出する。
【０００４】
【発明が解決しようとする課題】
しかしながら、上述したように広告効果を算出する広告配信システムでは、レストランのみの広告情報を配信したにも拘わらず、レストランに訪問したと見なすための位置が、実際にはレストランのみならずスポーツ施設やスーパーなどが複合した施設の駐車場の場合、どの店舗に来店したかを判断することは出来ない。また、広告供給元の店舗側が指定した駐車場に車両を駐車して訪問するとも限らないため、正確に訪問を判定することができず、更には正確に広告効果を算出することができないという問題点があった。
【０００５】
そこで、本発明は、上述した実情に鑑みて提案されたものであり、配信した広告情報に対する広告効果を正確に算出することができる広告配信処理システム、広告配信処理装置及び方法、通信端末及び広告提示方法を提供することを目的とする。
【０００６】
【課題を解決するための手段】
上述の課題を解決するために、請求項１に係る広告配信処理システムでは、広告概要を提示する概要広告情報及び前記広告概要よりも詳細な広告内容であってユーザの操作によって選択される選択可能情報を含む詳細広告情報を配信する広告配信装置と、車両に搭載され、前記広告配信装置により配信された概要広告情報及び詳細広告情報をユーザに提示する通信端末とを備える広告配信処理システムであって、前記通信端末は、車両の位置を検出する車両位置検出部と、車両が第１のエリア内に存在する時に前記概要広告情報を提示し、車両が前記第１のエリアよりも小さい第２のエリア内に存在する時に前記詳細広告情報を提示する表示部と、前記詳細広告情報に含まれる選択可能情報を選択する操作を検出して操作入力情報を生成する操作検出部と、前記車両位置検出部によって検出された位置情報に基づいて車両が停止した状態で前記詳細広告情報に含まれる選択可能情報を選択した操作を前記操作検出部によって検出した場合に車両が停止したことを示す停止信号と操作入力情報とを前記広告配信装置に送信する送信部と、を備え、前記広告配信装置は、前記概要広告情報と前記詳細広告情報とを予め記憶する広告情報蓄積部と、前記通信端末の位置情報を取得する位置情報取得部と、前記通信端末の位置情報に基づいて前記通信端末に前記概要広告情報及び前記詳細広告情報を配信する送信情報処理部と、前記通信端末から、前記停止信号と操作入力情報とを受信した場合に、当該詳細広告情報に高い広告効果があったと判断する広告効果判定部とを備える。
【０００８】
請求項２に係る広告配信処理システムでは、広告概要を提示する概要広告情報及び前記広告概要よりも詳細な広告内容であってユーザの操作によって選択される選択可能情報を含む詳細広告情報を配信する広告配信装置と、車両に搭載され、前記広告配信装置により配信された概要広告情報及び詳細広告情報をユーザに提示する通信端末とを備える広告配信処理システムであって、前記通信端末は、車両の位置を検出する車両位置検出部と、車両が第１のエリア内に存在する時に前記概要広告情報を提示し、車両が前記第１のエリアよりも小さい第２のエリア内に存在する時に前記詳細広告情報を提示する表示部と、前記詳細広告情報に含まれる選択可能情報を選択する操作を検出して操作入力情報を生成する操作検出部と、前記車両位置検出部によって検出された位置情報に基づいて車両が停止した状態で前記詳細広告情報に含まれる選択可能情報を選択した操作を前記操作検出部によって検出した場合に車両が停止したことを示す停止信号と操作入力情報とを前記広告配信装置に送信する送信部と、を備え、前記広告配信装置は、前記概要広告情報と前記詳細広告情報とを予め記憶する広告情報蓄積部と、前記通信端末の送信部から送信された位置情報に基づいて前記通信端末に前記概要広告情報及び前記詳細広告情報を配信する送信情報処理部と、前記通信端末から、前記停止信号と操作入力情報とを受信した場合に、当該詳細広告情報に高い広告効果があったと判断する広告効果判定部と、を備え、上記広告配信装置と接続され、上記通信端末を利用するユーザについて発生した支払いを決済する決済サーバを更に備え、上記広告配信装置は、上記通信端末に付与されたユーザＩＤを特定するユーザＩＤ特定部と、ユーザ情報蓄積部に蓄積されたユーザが決済をするのに使用する決済サーバに関する情報と、前記特定した上記ユーザＩＤとを比較して利用者が使用する決済サーバを認識し、広告主が提供する決済サーバを選択する選択可能情報を上記通信端末に送信し、何れかの決済サーバを選択する操作入力情報を受信することを特徴とする。
【０００９】
請求項３に係る広告配信処理システムでは、請求項２に係る広告配信処理システムであって、上記広告配信装置は、上記広告配信装置は、広告配信を依頼した広告主を特定する広告主情報、ユーザを特定するユーザＩＤ情報、広告に関する支払いについて特典を与える特典情報を上記決済サーバに送信し、上記決済サーバは、広告主情報及びユーザＩＤ情報を用いてユーザについて発生した支払いの決済処理をすると共に、特典情報に基づいてユーザに特典を提供することを特徴とする。
【００１０】
請求項４に係る広告配信処理システムでは、請求項２又は請求項３に係る広告配信処理システムであって、上記広告配信装置は、ユーザが保有する携帯型情報端末に、上記特典情報を送信することを特徴とする。
【００１１】
上述の課題を解決するために、請求項５に係る広告配信処理装置では、車両に搭載された通信端末によってユーザに広告情報を提示する広告配信処理装置であって、車両が第１のエリアに存在する時に広告概要を提示する概要広告情報及び前記第１のエリアよりも小さい第２のエリアに車両が存在する時に前記広告概要よりも詳細な広告内容であってユーザの操作によって選択される選択可能情報を含む詳細広告情報の配信先である車両に搭載された通信端末との間で通信をする送受信部と、前記概要広告情報及び前記詳細広告情報を記憶する広告情報蓄積部と、前記通信端末の位置情報を取得する位置情報取得部と、前記位置情報取得部により取得した位置情報に基づいて前記通信端末に前記概要広告情報及び前記詳細広告情報を前記送受信部によって配信させる送信情報処理部と、前記送受信部により、前記通信端末から、車両が停止した状態で前記詳細広告情報に含まれる選択可能情報を選択した操作入力情報と、車両が停止したことを示す停止信号とが送信された場合に、当該詳細広告情報に高い広告効果があったと判断する広告効果判定部とを備えることを特徴とする。
【００１２】
請求項６に係る広告配信処理装置では、請求項５に係る広告配信処理装置であって、上記広告情報蓄積部は、上記概要広告情報を配信する配信エリアを特定する前記第１のエリアである概要配信エリア情報と、上記詳細広告を配信する前記第２のエリアである配信エリアを特定する詳細配信エリア情報とを記憶し、上記送信情報処理部は、通信端末位置が概要配信エリア内であると判定した場合に概要広告情報を上記広告情報蓄積部から読み出して上記通信端末に配信し、通信端末位置が詳細配信エリア内であると判定した場合に詳細広告情報を上記広告情報蓄積部から読み出して上記通信端末に配信させることを特徴とする。
【００１３】
請求項７に係る広告配信処理装置では、請求項５に係る広告配信処理装置であって、上記広告情報蓄積部は、上記概要広告情報及び詳細広告情報を配信する配信エリアを特定する上記第１のエリアである配信エリア情報と、上記詳細広告情報を提示する上記第２のエリアである提示エリアを特定する提示エリア情報とを記憶し、上記送信情報処理部は、通信端末位置が配信エリア内であると判定した場合に、上記概要広告情報、詳細広告情報及び提示エリア情報を上記広告情報蓄積部から読み出して上記通信端末に配信し、上記提示エリアにて詳細広告情報を提示させることを特徴とする。
【００１４】
請求項８に係る広告配信処理装置では、請求項５の何れかに係る広告配信処理装置であって、上記通信端末に設定された車両の推奨経路情報を取得する経路取得手段を更に備え、上記送信情報処理部は、上記経路取得手段で取得した推奨経路上の位置が前記第１のエリア又は前記第２のエリアに含まれる場合に前記概要広告情報又は前記詳細広告情報を配信することを特徴とする。
【００１７】
上述の課題を解決するために、請求項９に係る広告配信処理方法では、車両に搭載された通信端末によってユーザに広告情報を提示する広告配信装置の広告配信処理方法であって、前記広告配信装置が、前記通信端末の位置情報を取得するステップと、車両が第１のエリアに存在する時に広告概要を提示する概要広告情報及び前記第１のエリアよりも小さい第２のエリアに車両が存在する時に前記広告概要よりも詳細な広告内容であってユーザの操作によって選択される選択可能情報を含む詳細広告情報を予め記憶した前記広告配信装置が、前記取得した位置情報に基づいて前記通信端末に前記概要広告情報及び前記詳細広告情報を配信するステップと、前記広告配信装置が、前記通信端末から、車両が停止した状態で前記詳細広告情報に含まれる選択可能情報を選択した操作入力情報と、車両が停止したことを示す停止信号とが送信された場合に、当該詳細広告情報に高い広告効果があったと判断するステップとを有する。
【００１８】
請求項１０に係る広告配信処理方法では、請求項９に係る広告配信処理方法であって、前記広告配信装置が、上記概要広告情報を配信する配信エリアを特定する前記第１のエリアである概要配信エリア情報と、上記詳細広告情報を配信する前記第２のエリアである配信エリアを特定する詳細配信エリア情報とが記憶され、前記通信端末に前記概要広告情報及び前記詳細広告情報を配信するステップは、上記広告配信装置が、通信端末位置が概要配信エリア内であると判定した場合に概要広告情報を上記通信端末に配信し、通信端末位置が詳細配信エリア内であると判定した場合に詳細広告情報を上記通信端末に配信することを特徴とする。
【００１９】
請求項１１に係る広告配信処理方法では、請求項９に係る広告配信処理方法であって、前記広告配信装置が、上記概要広告情報を配信する配信エリアを特定する前記第１のエリアである概要配信エリア情報と、上記詳細広告情報を配信する前記第２のエリアである配信エリアを特定する詳細配信エリア情報とが記憶され、前記通信端末に前記概要広告情報及び前記詳細広告情報を配信するステップは、上記広告配信装置が、通信端末位置が配信エリア内であると判定した場合に、概要広告情報、詳細広告情報及び提示エリア情報を上記通信端末に配信し、上記提示エリアにて詳細広告情報を提示させることを特徴とする。
【００２０】
請求項１２に係る広告配信処理方法では、請求項９に係る広告配信処理方法であって、上記広告配信装置が、上記通信端末に設定された車両の推奨経路情報を取得するステップを有し、上記通信端末に上記概要広告情報及び上記詳細広告情報を配信するステップは、取得した推奨経路上の位置が上記第１のエリア又は上記第２のエリアに含まれる場合に、上記広告配信装置が、上記概要広告情報又は上記詳細広告情報を配信することを特徴とする。
【００２３】
上述の課題を解決するために、請求項１３に係る通信端末では、車両に搭載された通信端末であって、広告概要を提示する概要広告情報及び前記広告概要よりも詳細な広告内容であってユーザの操作によって選択される選択可能情報を含む詳細広告情報を配信する広告配信装置との間で通信をする送受信部と、車両の位置を検出する車両位置検出部と、車両が第１のエリア内に存在する時に前記概要広告情報を提示し、車両が前記第１のエリアよりも小さい第２のエリア内に存在する時に前記詳細広告情報を提示する表示部と、上記詳細広告情報に含まれる選択可能情報を選択する操作を検出して操作入力情報を生成する操作検出部と、前記車両位置検出部によって検出された位置情報を前記広告配信装置に送信させると共に、前記車両位置検出部によって検出された位置情報に基づいて車両が停止した状態で前記詳細広告情報に含まれる選択可能情報を選択した操作を前記操作検出部によって検出した場合に車両が停止したことを示す停止信号と操作入力情報とを前記広告配信装置に送信させる制御部とを備える。
【００２５】
請求項１４に係る通信端末では、請求項１３に係る通信端末であって、前記概要広告情報及び前記詳細広告情報と、前記詳細広告情報を提示する提示エリアを特定する前記第２のエリアである提示エリア情報とを上記送受信部により同時に受信した場合、上記制御部は、前記概要広告情報を提示するように上記表示部を制御し、車両の位置が提示エリア内となった場合に、前記詳細広告情報を提示するように上記表示部を制御することを特徴とする。
【００２７】
請求項１５に係る通信端末では、請求項１３に係る通信端末であって、上記制御部は、車両の停止動作又は停止動作に類する動作が発生したときに、上記詳細広告情報を表示するように上記表示部を制御することを特徴とする。
【００３２】
【発明の効果】
請求項１に係る広告配信処理システムによれば、通信端末位置がエリア内である場合に、このエリアのエリア情報に対応する広告内容情報を通信端末に配信して、広告内容に対する通信端末の操作内容を検出し、この操作内容に基づいて広告効果を算出するので、配信した広告に対する広告効果を正確に算出することができる。
【００３４】
請求項２に係る広告配信処理システムによれば、利用者が使用する決済サーバのうち、広告主が提供する決済サーバを選択する情報を通信端末に送信し、広告内容に対する通信端末の操作内容として、何れかの決済サーバを選択する操作を検出するので、広告主が提供する決済手段と同時にユーザの広告効果を算出することができる。
【００３５】
請求項３に係る広告配信処理システムによれば、広告配信を依頼した広告主を特定する広告主情報、ユーザを特定するユーザＩＤ情報、広告に関する支払いについて特典を与える特典情報を決済サーバに送信し、決済サーバは、広告主情報及びユーザＩＤ情報を用いてユーザについて発生した支払いの決済処理をすると共に、特典情報に基づいてユーザに特典を提供するので、ユーザにて確実に特典を受けることができる。
【００３６】
請求項４に係る広告配信処理システムによれば、広告配信装置によりユーザが保有する携帯型情報端末に、特典情報を送信するので、例えば現金にて決済した場合であっても携帯型情報端末にて特典情報を提示することができる。
【００３７】
請求項５に係る広告配信処理装置によれば、通信端末位置が配信エリア内であると判定した場合に、この配信エリアの配信エリア情報に対応する広告内容情報を記憶手段から読み出して通信端末に配信し、広告内容に対する通信端末の操作内容を検出して広告効果を算出するので、配信した広告に対する広告効果を正確に算出することができる。
【００３８】
請求項６に係る広告配信処理装置によれば、通信端末位置が概要配信エリア内であると判定した場合に概要広告内容情報を配信し、通信端末位置が詳細配信エリア内であると判定した場合に詳細広告内容情報を配信し、詳細広告内容情報を配信した後の通信端末の操作内容を検出して広告効果を算出するので、概要広告を提示した状態で広告に興味のない利用者に多くの情報を配信することを回避することができ、システム全体での情報配信量を低減することができる。
【００３９】
請求項７に係る広告配信処理装置によれば、通信端末位置が配信エリア内であると判定した場合に概要広告内容情報、詳細広告内容情報及び提示エリア情報を配信し、提示エリアにて詳細広告内容を提示した後の通信端末の操作内容を検出して広告効果を算出するので、配信した広告に対する広告効果を正確に算出することができる。
【００４０】
請求項８に係る広告配信処理装置によれば、推奨経路上の位置が配信エリアに含まれる場合であっても広告内容情報を配信することができ、配信した広告に対する広告効果を正確に算出することができる。
【００４３】
請求項９に係る広告配信処理方法によれば、通信端末の位置が配信エリア内に進入したときに、この配信エリアの配信エリア情報に対応する広告内容情報を読み出して通信端末に配信し、広告内容に対する通信端末の操作内容を検出して配信した広告内容情報に対する広告効果を算出するので、配信した広告に対する広告効果を正確に算出することができる。
【００４４】
請求項１０に係る広告配信処理方法によれば、通信端末位置が概要配信エリア内であると判定した時に概要広告内容情報を読み出して通信端末に配信し、概要広告内容情報を配信した後に、通信端末位置が詳細配信エリア内であると判定した時に詳細広告内容情報を読み出して通信端末に配信し、詳細広告内容情報を配信した後の通信端末の操作内容を検出して広告効果を算出するので、概要広告を提示した状態で広告に興味のない利用者に多くの情報を配信することを回避することができ、システム全体での情報配信量を低減することができる。
【００４５】
請求項１１に係る広告配信処理方法によれば、通信端末位置が配信エリア内である時に、概要広告内容情報、詳細広告内容情報及び提示エリア情報を読み出して通信端末に配信し、提示エリアにて詳細広告内容を提示した後の通信端末の操作内容を検出して広告効果を算出するので、配信した広告に対する広告効果を正確に算出することができる。
【００４６】
請求項１２に係る広告配信処理方法によれば、推奨経路上の位置が配信エリアに含まれる場合であっても広告内容情報を配信することができ、配信した広告に対する広告効果を正確に算出することができる。
【００４９】
請求項１３に係る通信端末によれば、広告配信元からの広告内容情報とこの広告内容情報にて広告内容を提示する提示エリアを示す提示エリア情報とを受信した場合、現在位置が提示エリア内であると判定したときに、広告内容情報を提示し、広告内容情報を提示したことに応じた操作入力に基づいて操作入力情報を生成するので、配信した広告に対する広告効果を広告配信元にて正確に算出させることができる。
【００５１】
請求項１４に係る通信端末によれば、広告概要を提示する概要広告内容情報及び前記広告概要よりも詳細な広告内容の詳細広告内容情報と、前記詳細広告内容情報を提示する提示エリアを特定する提示エリア情報とを通信手段により同時に受信した場合、概要広告を提示し、通信端末位置が提示エリアとなったら詳細広告内容情報を提示し、詳細広告内容情報を提示した後の操作内容を検出して操作入力情報を送信するので、確実に詳細広告内容に応じた操作内容を検出することができる。
【００５３】
請求項１５に係る通信端末によれば、車両の停止動作又は停止動作に類する動作が発生したときに、広告内容と共に選択内容表示情報を用いた表示をするので、車両の停止と操作内容とを合わせた操作入力情報を検出することができる。
【００５８】
【発明の実施の形態】
以下、本発明を適用した第１実施形態乃至第４実施形態に係る広告配信システムについて図面を参照して説明する。本実施形態に係る広告配信システムは、移動体通信端末と広告配信装置とが無線ネットワークを介して接続されてなり、広告配信装置から、利用者と共に移動する移動体通信端末に広告内容情報を配信するものである。また、本実施形態においては、移動体通信端末が車両に搭載されて、利用者と共に移動する場合について説明する。
【００５９】
［第１実施形態］
「広告配信装置１の構成」
先ず、第１実施形態に係る広告配信システムにおける広告配信装置１の構成について図１を参照して説明する。
【００６０】
この広告配信装置１は、例えば広告配信事業者により管理され、移動体通信端末に対するサーバとして機能する。この広告配信装置１は、２つの第１配信側ＣＰＵ１１、第２配信側ＣＰＵ１２を有し、図示しないプログラム記憶部からプログラムを読み出すことにより以下に示すような機能を有する。また、この広告配信装置１は、移動体通信端末に配信する広告情報を蓄積している広告情報蓄積部１３と、複数の移動体通信端末と無線ネットワークを介して通信をする送受信部１４とを有している。
【００６１】
広告情報蓄積部１３は、例えば大規模の情報記憶機能を有し、例えば広告主から配信を依頼された広告情報を蓄積している。この広告情報蓄積部１３は、広告情報として、利用者に提示する広告内容情報と、この広告内容情報を配信する配信エリアを示す配信エリア情報と、この広告内容情報にて広告内容を提示する提示エリアを示す提示エリア情報とを関連づけて記憶している。広告内容情報は、広告の概要を提示する概要広告情報と、広告の詳細を提示する詳細広告情報とからなる。この詳細広告情報は、概要広告よりも詳細な広告内容を提示するための表示情報や、表示画面内に利用者により選択するアイコンなどの選択可能表示も含む。
【００６２】
また、提示エリアは、広告情報蓄積部１３にて対応づけられた配信エリアよりも小さいエリアに設定されており、例えば広告内容の対象となる店舗などを含んでいる。配信エリア及び提示エリアは、広告内容情報と共に予め広告主に指定されている。
【００６３】
このような広告情報は、広告主からの依頼に基づき広告配信装置１によりその内容が登録されると共に編集等がなされる。更に各広告情報には、広告配信装置１から移動体通信端末２に配信したか否かを識別するための配信履歴情報を含む。この配信履歴情報は、各広告情報ごとに配信済の配信先の移動体通信端末２を識別するＩＤ信号と、未配信又は配信済を識別する情報とからなり、上記詳細広告情報及び概要広告情報ごとに設けられる。
【００６４】
送受信部１４は、複数の移動体通信端末と無線ネットワークを介して接続されて情報の送受信をする通信インターフェース回路などからなる。この送受信部１４は、第１配信側ＣＰＵ１１からの情報を所定の信号形態に変換して各移動体通信端末に送信すると共に、受信した情報を後段の第２配信側ＣＰＵ１２にて処理可能な信号形態にして出力する。この送受信部１４は、例えば携帯電話用の通信プロトコルなどに対応した処理をする。
【００６５】
第１配信側ＣＰＵ１１は、その機能構成として、移動体位置取得部２１と、領域内広告判定部２２と、送信情報処理部２３とを有する。
【００６６】
移動体位置取得部２１は、移動体通信端末が搭載された車両位置を取得する機能を有する。移動体位置取得部２１による位置情報取得手法としては、例えば商用サービスとして普及しつつあるネットワークサービスとして、通信事業者が提供する位置情報サービスを利用して、車両のナビゲーション装置から送信される位置情報を読み込む。これにより、移動体位置取得部２１では、定期的に位置情報を取得する。
【００６７】
領域内広告判定部２２は、広告情報蓄積部１３に蓄積された配信エリア情報にて示される配信エリアと移動体位置取得部２１にて取得した位置情報とを比較し、車両が配信エリア内に進入しているか否かを判定する。領域内広告判定部２２は、配信エリア情報として登録されている配信エリアに車両が進入したと判定した場合、対応する提示エリアを示す提示エリア情報と共に関連づけられた広告内容情報を判定して判定結果として送信情報処理部２３に送る。
【００６８】
送信情報処理部２３は、領域内広告判定部２２による判定結果に基づいて広告情報を広告情報蓄積部１３から読み出す。この送信情報処理部２３は、読み出した広告情報を、各移動体通信端末に配信するためのデータ構築などをして送受信部１４に送る。
【００６９】
第２配信側ＣＰＵ１２は、その機能構成として、受信情報処理部３１と、広告効果判定部３２とを有する。
【００７０】
受信情報処理部３１は、送受信部１４にて受信して入力したデータを解析する。
【００７１】
広告効果判定部３２は、受信情報処理部３１にて受信したデータのうち、移動体通信端末の広告を閲覧したことにより発生したデータに基づいて、利用者の広告効果を定量的に算出する。
【００７２】
「移動体通信端末２の構成」
つぎに、第１実施形態に係る広告配信システムにおける移動体通信端末２の構成について図２を参照して説明する。
【００７３】
この移動体通信端末２は、車両に搭載されて利用者により管理され、広告配信装置１に対するクライアントとして機能する。この移動体通信端末２は、受信側ＣＰＵ４１を有し、図示しないプログラム記憶部からプログラムを読み出すことにより以下に示すような機能を有する。この受信側ＣＰＵ４１は、その主要な機能として、送受信情報処理部５１、操作検出部５２、領域判定部５３、表示情報処理部５４を備える。また、この移動体通信端末２は、広告配信装置１と無線ネットワークを介して通信をする送受信部４２と、表示部４３と、操作入力部４４と、車両位置検出部４５とを有している。
【００７４】
この移動体通信端末２は、広告配信装置１からの広告情報を送受信部４２により受信すると、その広告情報を送受信情報処理部５１に送る。この広告情報のうち、広告内容情報は、送受信情報処理部５１により表示情報処理部５４にて処理可能な信号形態とされて、表示情報処理部５４に送られる。また、提示エリア情報は、同様に領域判定部５３にて処理可能な信号形態とされて、領域判定部５３に送られる。
【００７５】
また、この移動体通信端末２は、車両走行時において、車両位置検出部４５により、車両に搭載されたナビゲーション装置の測位機能を利用して車両位置を検出し、車両位置情報を領域判定部５３に送る。この車両位置検出部４５は、車両が走行して移動体通信端末２が移動しているときに例えば所定時間毎に車両位置情報を作成する。
【００７６】
領域判定部５３では、車両位置情報を入力すると、車両位置が既に配信されて入力した提示エリア情報にて示される提示エリアに進入しているか否かを判定して、車両位置が提示エリアに進入しているときには、提示エリア情報と共に受信した広告内容情報を表示するように表示情報処理部５４を制御する。これに応じて、表示情報処理部５４では、広告内容を表示するように表示部４３を制御する。これにより、移動体通信端末２による広告配信を実現する。
【００７７】
ここで、広告配信装置１から複数の広告情報を受信している場合には、複数の広告内容情報を表示情報処理部５４にて保持すると共に、複数の提示エリア情報を領域判定部５３にて保持する。この状態において、領域判定部５３は、各提示エリアと車両位置とを比較して、何れかの提示エリアに車両が進入した場合に、該当する提示エリアに対応した広告内容を表示するように表示情報処理部５４を制御する。
【００７８】
表示部４３は、例えばナビゲーション装置の液晶ディスプレイなどの表示デバイスを利用する。また、この表示部４３では車両走行時において、広告内容の他に、車両の現在位置や目的地、推奨経路などを提示する。なお、本例では、広告内容を提示する構成として、表示部４３のみを用いる場合について説明するが、これに限らず、音声などにて広告内容などを提示する場合であっても良い。
【００７９】
更に、この移動体通信端末２が起動しているときにおいて、表示部４３の表示内容切替や、広告情報の要求などに際して、ボタンやダイヤルなどからなる操作入力部４４が利用者に操作される。この操作入力部４４になされる操作は、操作検出部５２により検出され、広告内容を表示している場合における操作内容情報は、送受信情報処理部５１、送受信部４２を介して広告配信装置１に送信される。具体的には、利用者が受けられる複数の広告に関する特典やサービス内容等を表示している場合に、利用者が受けたいサービスを操作入力部４４により選択させ、選択内容を操作内容情報として広告配信装置１に送信する。
【００８０】
「広告配信システムによる広告配信処理」
つぎに、上述の広告配信システムの処理手順について図３〜図５のフローチャートを参照して説明する。
【００８１】
先ず、ステップＳＴ１において、車両のエンジンが始動されて広告配信装置１が起動することに応じて、ステップＳＴ２に処理を進めて移動体通信端末２に固有のＩＤを付与する要求Ｓ１を移動体通信端末２から広告配信装置１に送信して、ステップＳＴ３に処理を進める。
【００８２】
これに対し、広告配信装置１では、ステップＳＴ２１にて要求Ｓ１を送受信部１４にて受信すると、以降の通信において使用するために一時的に割り振るＩＤ信号Ｓ２を算出して、送受信部１４により移動体通信端末２に送信する。ＩＤ信号の送信を完了すると、ステップＳＴ２３に処理を進めて移動体位置取得部２１によりＩＤ信号を付与した移動体通信端末２を搭載した車両の位置を取得する。
【００８３】
次に、ステップＳＴ２４において、ステップＳＴ２３にて取得した車両位置と広告情報蓄積部１３に蓄積されている広告情報ごとの配信エリアとを照合し、ステップＳＴ２５において、車両位置が何れかの配信エリア内であるか否かを判定する。車両位置が何れの配信エリア内にも存在しないと判定した場合にはステップＳＴ２３に処理を戻し、車両位置が何れかの配信エリア内に存在すると判定した場合には図４のステップＳＴ２６に処理を進める。これにより、広告配信装置１では、車両位置を監視して、以下の処理に移行する。
【００８４】
ステップＳＴ２６では、ステップＳＴ２５にて配信エリア内であると判定した配信エリア情報に対応した広告情報が送信済か否かを配信履歴を参照して判定し、配信すべき広告情報があるときには、ステップＳＴ２７に処理を進め、広告情報蓄積部１３から広告情報Ｓ３を読み出して配信した後に、ステップＳＴ２８に処理を進めて広告情報蓄積部１３内の配信履歴を記録する。
【００８５】
一方、移動体通信端末２では、ＩＤ信号Ｓ２を受信すると、図３のステップＳＴ３にて送受信部４２によりＩＤ信号を受信したと判定してステップＳＴ４に処理を進め、ステップＳＴ２７にて送信された広告情報をステップＳＴ４にて受信するとステップＳＴ５に処理を進め、広告情報に含まれる概要広告情報を表示部４３に表示する。
【００８６】
これにより、配信エリア内において利用者に概要広告を提示することができる。ここで、概要広告としては、例えば「○○屋大売出し中！」などといったヘッドラインの部分のみの表示などがある。
【００８７】
このように概要広告を提示した後に車両が走行して、ステップＳＴ６において例えば車両位置検出部４５により車両が停止したと判定したときには、ステップＳＴ７において受信した広告情報に含まれる提示エリア情報の提示エリアと車両停車位置との照合を領域判定部５３により行う。ステップＳＴ８にて車両停車位置が提示エリア内ではないと判定した場合には処理を終了し、車両停車位置が提示エリア内であると判定した場合には、図５のステップＳＴ９に処理を進め、詳細広告を表示するように表示情報処理部５４を制御する。
【００８８】
なお、ここでいう車両停止とは、車速が所定の値、例えば５ｋｍ／ｈ以下であること、エンジン停止の操作、キーの取り外し信号、シフトレバーをパーキングに入れたこと、ハンドブレーキを引いたこと、電動格納式ミラー操作し格納したこと、バックギアに入れたこと、など車両停止に類する動作であって、これらの何れか又は組み合わせて検出しても良い。
【００８９】
これにより、提示エリア内にて車両が停止した場合に、詳細広告を提示することができる。ここで、詳細広告とは、概要広告よりも詳しい広告内容であって、例えば「家電製品全製品２０％ＯＦＦ、クレジットカードの方はさらに特典あり」などのような情報のことである。また、ステップＳＴ９では、詳細広告の表示と共に、利用者に操作入力部４４の入力を促す選択可能表示も行う。選択可能表示とは、例えば「クレジットカードで使えるのは、○○カード、△△カード、××カードです。それぞれに特典がありますが、どのカードの情報を表示しますか？」などの選択を促す表示、カード支払いや現金支払いを選択する決済表示である。また、選択可能表示としては、売場案内や、営業時間、ペットの入店可否などについての問い合わせ項目などの表示があり、これらが選択された場合に該当する項目の詳細表示をする。
【００９０】
このように詳細広告及び選択可能表示をした状態にて、ステップＳＴ１０にて操作入力部４４が操作されて、選択可能表示の選択がなされたときにはステップＳＴ１１に処理を進めて、各移動体通信端末２のＩＤ信号、停止したことを示す停止信号、停止位置及び操作入力情報Ｓ４を広告配信装置１に送信して移動体通信端末２側の処理を終了する。
【００９１】
また、ステップＳＴ１０において、操作入力がなかった場合にはステップＳＴ１２に処理を進めて、一定時間が経過したか否かを判定し、一定時間を経過したときには移動体通信端末２側の処理を終了する。
【００９２】
ステップＳＴ１１にてＩＤ信号、停止信号及び停止位置、並びにステップＳＴ１０での操作入力情報Ｓ４を移動体通信端末２から送信して、広告配信装置１にて受信するとステップＳＴ２９に処理を進め、受信した情報を送受信部１４から受信情報処理部３１に送る。
【００９３】
次に、ステップＳＴ３０において、操作入力情報の返信があった旨の履歴を広告情報蓄積部１３に記録すると共に、ステップＳＴ３１において受信した情報を用いた広告配信効果の算出を広告効果判定部３２にて行ってステップＳＴ２１に処理をもどす。
【００９４】
ステップＳＴ３１にて広告効果を算出する際、広告効果判定部３２は、停止信号及び停止位置から広告配信先の移動体通信端末２が提示エリアで停止したことを判断し、更に、操作入力情報から詳細広告に対する操作を行った場合に広告効果があると判定する。具体的には、広告効果判定部３２は、広告主が指定するエリアで停止し、且つ広告したサービスを選択する動作を行った場合、来店する意思があるとみなし、高い広告効果があったと判断することができる。なお、この場合に限らず、広告効果の算出については他の方法で算出しても良い。
【００９５】
「第１実施形態の効果」
以上詳細に説明したように、第１実施形態に係る広告配信システムによれば、配信エリアに車両が進入した際に広告情報を広告配信装置１から移動体通信端末２に配信して、利用者に概要広告を提示した後に、移動体通信端末２にて提示エリアに進入したと判定したときに詳細広告を提示し、詳細広告を提示した後にした利用者の動作を検出して広告配信装置１に送信することで、広告配信装置１にて広告効果を正確に算出することができる。すなわち、広告内容が店舗広告などである場合の来訪意思を正確に判断することが可能となる。
【００９６】
また、この広告配信システムによれば、車両の停止動作、又はこれに類するハンドブレーキ動作などを検出することで、より確実に広告に対する利用者の動作を検出することができ、更に確実に広告効果を算出することができる。
【００９７】
更に、この広告配信システムによれば、詳細広告と共に選択可能表示をするので、広告主が提供するサービスの入力操作を促すことができ、サービス内容の周知と同時に広告効果の算出をすることが可能となる。
【００９８】
なお、本実施形態においては、移動体通信端末２が配信エリア内に進入した場合に広告情報を配信する例について説明したが、これに限らず、例えば車載のナビゲーション装置にて推奨経路を設定しており、設定している推奨経路の情報を広告配信装置１にて取得し、推奨経路が配信エリアを通過している場合に広告情報を配信しても良い。
【００９９】
広告配信システムは、推奨経路が配信エリアを通過している場合も広告情報配信条件に加えることにより、より多くの移動体通信端末２に広告情報を配信することができ、より多くの詳細広告に対する操作を検出して、より正確な広告効果を算出することができる。
【０１００】
［第２実施形態］
本発明を適用した第２実施形態に係る広告配信システムについて説明する。なお、以下の第２実施形態において、第１実施形態と同様の部分については同一符号や同一ステップ番号を付することによりその詳細な説明を省略する。
【０１０１】
第２実施形態に係る広告配信システムは、第１配信エリアに車両が進入した場合に概要広告情報を広告配信装置１から移動体通信端末２に配信して提示し、第１配信エリア内の第２配信エリアに車両が進入した場合に詳細広告情報を広告配信装置１から移動体通信端末２に配信して提示する点で、第１実施形態とは異なる。
【０１０２】
「広告配信装置１及び移動体通信端末２の構成」
第２実施形態における広告配信装置１は、図６に示すように、領域内広告判定部２２を第１領域判定部６１と第２領域判定部６２とで構成している。また、第２実施形態においては、広告情報蓄積部１３に蓄積される広告情報は、第１配信エリアの範囲を限定する第１配信エリア情報、第２配信エリアの範囲を限定する第２配信エリア情報、概要広告情報、詳細広告情報が対応づけられている。なお、第２実施形態においては、上述した移動体通信端末２に送信する提示エリア情報を広告情報蓄積部１３に登録しておかなくても良い。
【０１０３】
領域内広告判定部２２では、移動体位置取得部２１からの位置情報が、第１配信エリア内であるか否かを第１領域判定部６１により判定して、第２配信エリア内であるか否かを第２領域判定部６２により判定する。
【０１０４】
第１領域判定部６１では、広告情報蓄積部１３に登録されている第１配信エリアに車両が進入したと判定した場合、対応する第１配信エリア情報に関連づけられた概要広告情報を判定して判定結果として送信情報処理部２３に送る。これにより、送信情報処理部２３では、車両が第１配信エリア内に位置するときに概要広告情報を読み出して移動体通信端末２に配信して、提示させる。
【０１０５】
また、第２領域判定部６２では、広告情報蓄積部１３に登録されている第２配信エリアに車両が進入したと判定した場合、対応する第２配信エリア情報に関連づけられた詳細広告情報を判定して判定結果として送信情報処理部２３に送る。これにより、送信情報処理部２３では、車両が第２配信エリア内に位置するときに詳細広告情報を読み出して移動体通信端末２に配信して、提示させる。
【０１０６】
このような広告配信装置１からの広告情報を受信する移動体通信端末２は、図７に示すように、領域判定部５３を備えない点で第１実施形態における移動体通信端末２とは異なる。
【０１０７】
この移動体通信端末２は、送受信部４２にて概要広告情報を受信すると、表示情報処理部５４にて上述と同様の処理をして概要広告を提示し、詳細広告情報を受信し、且つ車両が停止した場合又は利用者の操作入力部４４の操作によりに詳細広告を表示する。そして、この移動体通信端末２では、詳細広告を提示した後の操作入力部４４の操作を検出して操作検出部５２により操作入力情報を生成する。
【０１０８】
「第２実施形態に係る広告配信システムの広告配信処理」
つぎに、上述の第２実施形態係る広告配信システムの広告配信処理について図８及び図９を参照して説明する。
【０１０９】
上述のステップＳＴ２５において、第１領域判定部６１により車両位置が第１配信エリア内であると判定した後のステップＳＴ５１において、第１配信エリア情報に対応した概要広告情報が送信済か否かを配信履歴を参照して判定し、未配信の概要広告情報があるときには、ステップＳＴ５２に処理を進め、広告情報蓄積部１３から概要広告情報Ｓ１１を読み出して配信した後に、ステップＳＴ５３に処理を進めて広告情報蓄積部１３内の配信履歴を記録して、ステップＳＴ２３に処理を戻す。
【０１１０】
一方、第１配信エリアに対応した概要広告情報が配信済であると判定した場合には、ステップＳＴ５４に処理を進めて第２領域判定部６２により車両位置と第２配信エリアとの照合を開始して、ステップＳＴ５５に処理を進め、車両位置が第２配信エリア内ではないと判定した場合にはステップＳＴ２３に処理を戻し、車両位置が第２配信エリア内であると判定した場合には、ステップＳＴ５６に処理を進める。
【０１１１】
ステップＳＴ５６において、第２配信エリア情報に対応した詳細広告情報が送信済か否かを配信履歴を参照して判定し、未配信の詳細広告情報があるときには、ステップＳＴ５７に処理を進め、広告情報蓄積部１３から詳細広告情報Ｓ１２を読み出して配信した後に、ステップＳＴ５８に処理を進めて広告情報蓄積部１３内の配信履歴を記録して、ステップＳＴ２３に処理を戻す。そして、広告配信装置１は、詳細広告に対する操作入力情報Ｓ４の受信を待機する状態になる。
【０１１２】
移動体通信端末２では、ステップＳＴ４１において概要広告情報Ｓ１１を送受信部４２で受信すると、ステップＳＴ４２に処理を進め、概要広告を表示部４３にて表示することで利用者に提示する。
【０１１３】
概要広告を提示した後のステップＳＴ４３では、所定条件を満たすような車両停止が発生したか否かを判定する。この所定条件とは、信号停止のような瞬時的な停車ではなく、上述のステップＳＴ６にて説明したように車両を停止させた状態を指す。このステップＳＴ４３にて車両停止が発生したと判定した場合には、処理を終了する。
【０１１４】
ステップＳＴ５７により広告配信装置１からの詳細広告情報Ｓ１２をステップＳＴ４４にて受信した後に、図９のステップＳＴ４５の判定にて車両停止が発生した場合に、ステップＳＴ４６に処理を進めて詳細広告を表示させる。そして、詳細広告を表示した後には、上述と同様にステップＳＴ１０〜ステップＳＴ１２の処理を行う。
【０１１５】
「第２実施形態の効果」
上述しように、第２実施形態に係る広告配信システムによれば、第１配信エリアに車両が進入した際に概要広告を配信し、この後に車両が第２配信エリアに進入した場合に詳細広告を配信して、第２配信エリア内で詳細広告に対して行った動作を検出することで、確実に来訪する意思などを検出して広告効果を算出することができる。
【０１１６】
更に、この広告配信システムによれば、第２配信エリア内に車両が進入するまでは詳細広告情報を配信しないようにしたので、概要広告を提示した状態で広告に興味のない利用者に多くの情報を配信することを回避することができ、システム全体での情報配信量を低減することができる。
【０１１７】
［第３実施形態］
つぎに、本発明を適用した第３実施形態に係る広告配信システムについて説明する。なお、以下の第３実施形態において、上述した実施形態と同様の部分については同一符号や同一ステップ番号を付することによりその詳細な説明を省略する。
【０１１８】
第３実施形態に係る広告配信システムは、概要広告情報を移動体通信端末２に配信した後の詳細広告の配信要求に従って詳細広告情報を配信し、第２配信エリア内に車両が進入した場合に選択可能表示をする点で、上述した実施形態とは異なる。
【０１１９】
このような広告配信システムの処理を図１０及び図１１のフローチャートを参照して説明する。
【０１２０】
この広告配信システムでは、移動体通信端末２により、広告配信装置１からの概要広告情報を受信して表示した後のステップＳＴ６１において、例えば利用者による操作入力部４４の操作により詳細広告情報の配信要求Ｓ２１を広告配信装置１に送信する。ここで、配信要求Ｓ２１には、ＩＤ信号や、要求する詳細広告を識別する情報などが付加される。
【０１２１】
これに対し、広告配信装置１では、ステップＳＴ５６にて既に配信した概要広告情報に関連した詳細広告情報のうち、未配信の詳細広告情報が存在すると判定した場合には、ステップＳＴ７１に処理を進めて、移動体通信端末２からの配信要求Ｓ２１を受信済か否かを判定して、受信していないと判定した場合にはステップＳＴ２３に処理を戻し、受信済であると判定したときにはステップＳＴ５７に処理を進めて配信要求Ｓ２１に応じた詳細広告情報を広告情報蓄積部１３から読み出して送信する。
【０１２２】
移動体通信端末２では、配信要求Ｓ２１に応じた詳細広告情報を受信すると処理をステップＳＴ６２に進め、ステップＳＴ４２にて表示した概要広告よりも詳細な広告内容を提示する表示情報を用いて詳細広告を表示する。このとき、表示情報処理部５４では、表示画面内に利用者により選択するアイコンなどの選択可能表示を表示させないように処理をする。
【０１２３】
そして、詳細広告を表示した後には、図１１のステップＳＴ６３にて車両が停止したか否かを監視し、車両が停止した場合にステップＳＴ６４に処理を進めて車両位置と提示エリアとの照合をしてステップＳＴ６５に処理を進め、提示エリア内と判定した場合に、ステップＳＴ６６にて選択可能表示をする。選択可能表示をした後には、上述と同様にステップＳＴ１０〜ステップＳＴ１２の処理を行う。
【０１２４】
このような第３実施形態に係る広告配信システムによれば、概要広告を配信した後の配信要求Ｓ２１に応じた詳細広告を配信し、提示エリアにて車両が停止した場合に選択可能表示をして、詳細広告に対する利用者の動作を検出することができ、上述と同様の効果を発揮できる。また、この広告配信システムによれば、詳細広告の提示エリアに進入していない場合でも利用者が要求するときに詳細広告を提示することができ、提示エリアに進入したときに選択可能表示をして正確な広告効果を算出することができる。
【０１２５】
なお、本実施形態においては、移動体通信端末２からの概要広告に関連した詳細情報の要求が発生した場合に広告配信装置１から詳細広告を配信するようにしたが、移動体通信端末２からの配信要求が発生したときの移動体通信端末２の位置を検出して、移動体通信端末２の位置に応じて配信する広告情報を選択しても良い。これにより、より車両に近い広告を利用者に提示することができ、広告効果を高めることができる。
【０１２６】
［第４実施形態］
つぎに、本発明を適用した第４実施形態に係る広告配信システムについて説明する。なお、以下の第４実施形態において、上述した実施形態と同様の部分については同一符号や同一ステップ番号を付することによりその詳細な説明を省略する。
【０１２７】
第４実施形態に係る広告配信システムは、図１２に示すように、広告配信装置１に蓄積する広告情報の配信を依頼する広告主サーバ７１、広告配信に付随する特典に関する決済をする決済サーバ７２、利用者口座を管理する銀行サーバ７３、利用者が保有する携帯電話端末７４を備える。
【０１２８】
このような広告配信システムにおける広告配信装置１は、図１３に示すように、ユーザ情報蓄積部８１とユーザＩＤを特定するユーザＩＤ特定部８２とを有している。
【０１２９】
ユーザ情報蓄積部８１には、広告配信サービスを受けるユーザに関するユーザ情報が記憶されている。このユーザ情報とは、ユーザが決済をするのに使用する決済サーバ７２に関する情報である。ユーザＩＤ特定部８２では、会員である利用者が移動体通信端末２と共に移動した場合に移動体通信端末２からＩＤ信号を取得し、このＩＤ信号とユーザ情報蓄積部８１に記憶したユーザ情報とを比較することで、広告配信をしているユーザについての決済サーバ７２を認識する。
【０１３０】
このような広告配信システムでは、広告主サーバ７１からの広告配信依頼情報及び特典情報Ｓ３１を広告配信装置１にて受信すると、広告情報として広告情報蓄積部１３に記憶することで登録する。ここで、広告配信依頼情報は、広告を配信したり提示するエリア情報、概要広告情報、詳細広告情報、選択可能表示情報などを含む。また、特典情報は、広告主が依頼したサービスを受けることにより発生する特典に関する情報である。
【０１３１】
そして、上述した処理を広告配信装置１と移動体通信端末２との間で行うことで、概要広告情報Ｓ３２を配信し、更に、特典情報、詳細広告情報及び選択可能表示情報Ｓ３３を配信する。これにより、特典内容、詳細広告を利用者に提示し、選択可能表示をしたことに応じた操作入力情報Ｓ３４が広告配信装置１に送信される。
【０１３２】
このとき、決済サーバ７２のうち、広告主が提供する決済サーバにて決済を促す選択可能表示や、ユーザが普段使用している決済サーバを選択する選択可能表示をして、操作入力を促して操作入力情報Ｓ３４を取得することもできる。また、選択可能表示としては、広告主が提供するサービス内容を選択するものを表示する。
【０１３３】
このように決済サーバの選択を促したり、ユーザが受けるサービス内容の選択を促す選択可能表示をして、決済方法やサービス内容を提示すると共に操作内容を広告配信装置１にて検出して広告効果を算出することができる。
【０１３４】
広告配信装置１では、操作入力情報Ｓ３４を受信すると、広告効果判定部３２にて広告効果を算出すると共に、広告効果を算出したことに対する課金情報を作成して、広告配信効果情報及び課金情報Ｓ３５を広告主サーバ７１に送る。これにより、広告配信装置１では、広告主からの依頼に応じて広告配信したことによる利益を得ることができ、広告主サーバ７１では、広告を配信したことに対する利用者の効果を取得することができる。
【０１３５】
また、特典に関する選択可能表示を移動体通信端末２にて選択して広告したサービスを受けることによる特典を得る旨の操作入力情報Ｓ３４を広告配信装置１にて受信した場合には、例えば割り引きクーポンを特典として付与する旨の特典情報Ｓ３６を携帯電話端末７４に送信してユーザに提示すると共に、操作入力情報及び特典情報Ｓ３７を決済サーバ７２に送る。
【０１３６】
この状態にて、例えば広告主が広告した店舗などにて商品を購入した場合には、広告主サーバ７１と決済サーバ７２との間で決済情報Ｓ３８のやりとりをして決済をする。このとき、広告主サーバ７１では、決済方法を指定して広告主の店舗で商品を購入した場合の特典情報Ｓ３９を決済サーバ７２に提供する。決済サーバ７２では、広告配信装置１からの操作入力情報及び特典情報Ｓ３７、広告主サーバ７１からの特典情報Ｓ３９をもとに、特典差し引き後の残額情報Ｓ４０を銀行サーバ７３に請求する。
【０１３７】
このような第４実施形態に係る広告配信システムでは、車両７０を走行させて第１エリア７５にて概要広告を配信し、第２エリア７６にて詳細広告及び選択可能表示をすることができ、操作入力を広告配信装置１にて検出したことに応じた対価を広告主サーバ７１に請求して、広告配信サービスと共に広告効果判定サービスをするシステムを構築することができる。
【０１３８】
また、この広告配信システムによれば、詳細広告と共に特典情報をユーザに提示することで、特典を携帯電話端末７４にて提示して特典を利用者に与え、その特典を広告主サーバ７１と決済サーバ７２、銀行サーバ７３とのやりとりにより決済することができ、ユーザにとっても広告を閲覧することに対する利益を与えることができ、更に広告配信サービス自体の利益の向上や普及を実現させることができる。
【０１３９】
このように、広告配信システムによれば、広告配信効果を確実に判定することが可能となり、広告配信側でのビジネス構築を容易とすることができ、ユーザ側では享受できるサービスが明確になり、広告配信者、広告主、ユーザの何れにおいても利益を享受することができるシステムを構築可能となる。
【０１４０】
なお、広告配信装置１から携帯電話端末７４に特典情報Ｓ３６を送信するに際しては、例えばユーザ情報蓄積部８１に携帯電話端末７４のメールアドレスを記憶しておいて、電子メール形式にて通知しても良い。これにより、ユーザが広告主の店舗を訪問した場合に、サービスを忘れることなく確実にサービスを受け、更に特典を得られるようになる。
【０１４１】
また、決済方法選択時に現金を選択している場合、携帯電話端末７４にて受信した特典情報を店舗訪問時に店員に見せることで、特典を受けることも可能になる。
【０１４２】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【０１４３】
すなわち、上述した実施形態では、移動体通信端末２が車両に搭載された場合について説明したが、これに限らず、歩行者が保有している携帯電話端末やＰＤＡ（Personal Digital Assistant）などに広告情報などを送信してその操作を検出しても良いことは勿論である。
【０１４４】
また、上述した説明では、第１実施形態〜第４実施形態を区別して説明したが、それに限らず、何れの実施形態を組み合わせも、上述した効果と同様の効果を得ることができるのは勿論である。
【０１４５】
更に、上述した実施形態では、ネットワーク上の広告配信装置１に蓄積した広告情報を配信する場合について説明したが、これに限らず、車両の記録媒体に記憶した広告内容情報を車両の位置に応じて、ネットワークを介して操作入力情報を検出して広告効果を算出しても、上述と同様の効果を得ることができる。
【図面の簡単な説明】
【図１】本発明の第１実施形態における広告配信装置の機能的な構成を示すブロック図である。
【図２】本発明の第１実施形態における移動体通信端末の機能的な構成を示すブロック図である。
【図３】本発明の第１実施形態に係る広告配信システムによる広告配信処理を説明するためのフローチャートである。
【図４】本発明の第１実施形態に係る広告配信システムによる広告配信処理を説明するためのフローチャートである。
【図５】本発明の第１実施形態に係る広告配信システムによる広告配信処理を説明するためのフローチャートである。
【図６】本発明の第２実施形態における広告配信装置の機能的な構成を示すブロック図である。
【図７】本発明の第２実施形態における移動体通信端末の機能的な構成を示すブロック図である。
【図８】本発明の第２実施形態に係る広告配信システムによる広告配信処理を説明するためのフローチャートである。
【図９】本発明の第２実施形態に係る広告配信システムによる広告配信処理を説明するためのフローチャートである。
【図１０】本発明の第３実施形態に係る広告配信システムによる広告配信処理を説明するためのフローチャートである。
【図１１】本発明の第３実施形態に係る広告配信システムによる広告配信処理を説明するためのフローチャートである。
【図１２】本発明の第４実施形態に係る広告配信システムの機能的な構成を示すブロック図である。
【図１３】本発明の第４実施形態における広告配信装置の機能的な構成を示すブロック図である。
【符号の説明】
１  広告配信装置
２  移動体通信端末
１１  第１配信側ＣＰＵ
１２  第２配信側ＣＰＵ
１３  広告情報蓄積部
１４  送受信部
２１  移動体位置取得部
２２  領域内広告判定部
２３  送信情報処理部
３１  受信情報処理部
３２  広告効果判定部
４１  受信側ＣＰＵ
４２  送受信部
４３  表示部
４４  操作入力部
４５  車両位置検出部
５１  送受信情報処理部
５２  操作検出部
５３  領域判定部
５４  表示情報処理部
６１  第１領域判定部
６２  第２領域判定部
７１  広告主サーバ
７２  決済サーバ
７３  銀行サーバ
７４  携帯電話端末
７５  第１エリア
７６  第２エリア
８１  ユーザ情報蓄積部
８２  ユーザＩＤ特定部
【図１】
0004007060.tif 000002
【図２】
0004007060.tif 000003
【図３】
0004007060.tif 000004
【図４】
0004007060.tif 000005
【図５】
0004007060.tif 000006
【図６】
0004007060.tif 000007
【図７】
0004007060.tif 000008
【図８】
0004007060.tif 000009
【図９】
0004007060.tif 000010
【図１０】
0004007060.tif 000011
【図１１】
0004007060.tif 000012
【図１２】
0004007060.tif 000013
【図１３】
0004007060.tif 000014